(57)【要約】【課題】生体の軟組織に対する優れた切削性を有する医療用ワイヤメスを提供する。【解決手段】医療用ワイヤメス１０は、単線のワイヤ１０からなり、ワイヤ表面には軟組織を切削する切刃エッジ１６が形成されている。切刃エッジ１６は、例えば、ワイヤ１０の表面に連続したスパイラル形状で形成されている。この切刃エッジ１６は、好適には、レーザ照射により作製することができる。この切刃エッジ１６により、生体の軟組織を効率よく切削することができる。【選択図】図２
2006020824.tif 000002
【特許請求の範囲】
【請求項１】
生体の軟組織を切削する医療用ワイヤメスであって、
単線のワイヤからなり、ワイヤ表面には軟組織を切削する切刃エッジが形成されていることを特徴とする医療用ワイヤメス。
【請求項２】
請求項１に記載の医療用ワイヤメスであって、
前記切刃エッジは、ワイヤ表面にレーザを照射することにより加工されることを特徴とする医療用ワイヤメス。
【請求項３】
請求項１又は２に記載の医療用ワイヤメスであって、
前記切刃エッジは、ワイヤ表面に連続したスパイラル形状で形成されていることを特徴とする医療用ワイヤメス。
【請求項４】
請求項１又は２に記載の医療用ワイヤメスであって、
前記切刃エッジは、ワイヤの中心軸回りに所定角度毎に形成されており、且つ所定角度毎に形成される切刃エッジは、ワイヤ表面の異なる円周上に形成されていることを特徴とする医療用ワイヤメス。
【請求項５】
生体の軟組織を切削する、単線のワイヤからなる医療用ワイヤメスの製造方法であって、
ワイヤ表面にレーザを照射することにより、軟組織を切削する切刃エッジを形成する工程を含むことを特徴とする医療用ワイヤメスの製造方法。
【請求項６】
請求項５に記載の医療用ワイヤメスの製造方法であって、
ワイヤの中心軸に直交する方向からレーザを照射し、ワイヤの長さ方向に沿って所定間隔で切刃エッジを形成する工程と、
ワイヤをその中心軸を中心にして所定角度回転させ、前記形成された切刃エッジと異なる円周上にワイヤの中心軸に直交する方向からレーザを照射し、ワイヤの長さ方向に沿った所定間隔で切刃エッジを形成する工程と、
を含むことを特徴とする医療用ワイヤメスの製造方法。
【発明の詳細な説明】
【技術分野】
【０００１】
本発明は医療用ワイヤメス及び医療用ワイヤメスの製造方法、特に生体の軟組織を切削する医療用ワイヤメス及び医療用ワイヤメスの製造方法に関する。
【背景技術】
【０００２】
従来から、美容外科分野において皮膚や筋肉の老化によって生じたシワや弛みを取り除くために、シワ取り手術が行われている。一般的にフェイスリフトと呼ばれている顔のシワ取り施術では、表面の皮膚を引っ張るだけではなく、皮膚の下の各組織を引っ張り皮膚のシワを伸ばすことが行われている。以下、最近の術式について説明する。
【０００３】
図６は、フェイスリフトの施術の様子を説明する図である。図６（Ａ）に示すように、顔の表部から皮膚、皮下脂肪、ＳＭＡＳ（表在性筋膜）、筋肉の順に各組織層が積層している。まず、皮膚表面から内部に向かって切開する。次に、図６（Ｂ）に示すように、ＳＭＡＳと筋肉層のように各組織層毎に分離する。この分離には、ワイヤメス、複線のワイヤ線を密に撚り合わせた撚り線とした撚り線状のワイヤメスが用いられている。その後、ワイヤメスを用いて、皮下脂肪層の余分な組織を厚み方向、長さ方向にそぎ落としたり、切除したり、皮下脂肪層を調整した後、皮下脂肪層を引っ張って切開部位で縫合する。次に、他のＳＭＡＳ、皮膚についても同様に余分な組織をそぎ落とし、組織層毎に引っ張って切開部位で縫合する。
【０００４】
このような方法によれば、皮膚のみならず、皮膚の下の各組織層を個別に調整して引っ張るので、表面の皮膚だけを引っ張る場合に比べて、皮膚縫合部への過剰な負担を防止して皮膚のシワを伸ばすことができる。
【０００５】
【特許文献１】実願平６−０１６５００号
【発明の開示】
【発明が解決しようとする課題】
【０００６】
上述した撚り線状のワイヤメスは、撚り線とされた互いのワイヤの段差を利用して、各組織層を切削している。しかしながら、このワイヤの段差を均一にすることが難しいと言う問題がある。この段差が不均一になると、各組織層の切削面が不揃いになり、特定の組織のみを分離したり、所望の組織のみをそぎ落とすことが困難となるという問題がある。
【０００７】
なお、上記した特許文献１には医療用鋸切り工具が開示されている。この医療用鋸切り工具は、骨の切断作業に用いられ、骨を切断するためのワイヤを備えている。しかし、このワイヤは、骨切断に適するように作製されており、例えば、フェイスリフトにおける脂肪の組織を切削するための好適な知見は示されていない。
【０００８】
そこで、本発明は上記課題を解決するためになされたもので、生体の軟組織の切削を効率良く行える医療用ワイヤメス及び医療用ワイヤメスの製造方法を提供することにある。
【課題を解決するための手段】
【０００９】
本発明の医療用ワイヤメスは、生体の軟組織を切削する医療用ワイヤメスであって、単線のワイヤからなり、ワイヤ表面には軟組織を切削する切刃エッジが形成されていることを特徴とする。
【００１０】
また、本発明の医療用ワイヤメスにおいて、切刃エッジは、ワイヤ表面にレーザを照射することにより加工されることを特徴とする。
【００１１】
更に、本発明の医療用ワイヤメスにおいて、切刃エッジは、ワイヤ表面に連続したスパイラル形状で形成されていることを特徴とする。
【００１２】
更に、本発明の医療用ワイヤメスにおいて、切刃エッジは、ワイヤの中心軸回りに所定角度毎に形成されており、且つ所定角度毎に形成される切刃エッジは、ワイヤ表面の異なる円周上に形成されていることを特徴とする。
【００１３】
本発明の医療用ワイヤメスの製造方法は、生体の軟組織を切削する、単線のワイヤからなる医療用ワイヤメスの製造方法であって、ワイヤ表面にレーザを照射することにより、軟組織を切削する切刃エッジを形成する工程を含むことを特徴とする。
【００１４】
また、本発明の医療用ワイヤメスの製造方法は、ワイヤの中心軸に直交する方向からレーザを照射し、ワイヤの長さ方向に沿って所定間隔で切刃エッジを形成する工程と、ワイヤをその中心軸を中心にして所定角度回転させ、形成された切刃エッジと異なる円周上にワイヤの中心軸に直交する方向からレーザを照射し、ワイヤの長さ方向に沿った所定間隔で切刃エッジを形成する工程と、を含むことを特徴とする。
【発明の効果】
【００１５】
本発明によれば、医療用ワイヤメスは、単線のワイヤからなり、ワイヤ表面に切刃エッジが形成したので、生体の軟組織に対する優れた切削性を提供することができる。
【００１６】
また、本発明の一態様によれば、医療用ワイヤメスの切刃エッジをレーザ照射により形成するので、切刃エッジの加工精度が高くすることができる。
【発明を実施するための最良の形態】
【００１７】
以下、発明を実施するための形態（以下、実施形態という）について、図面を参照し説明する。
【００１８】
図１は、本実施形態の医療用ワイヤメスの構成を示す図である。
【００１９】
図１に示すように、本実施形態の医療用ワイヤメス１０は、その先端にワイヤメス１０を誘導する誘導針１２が設けられている。医療用ワイヤメス１０は、生体の軟組織、言い換えると、骨等を除いた他の組織で、筋肉、皮下組織、皮膚等の切削に広く用いることが可能である。特に好適には、美容、整形の分野において、従来技術で述べたフェイスリフトにおける、各組織層の分離、切除等の切削に用いることができる。
【００２０】
本実施形態において特徴的なことは、医療用ワイヤメス１０は単線のワイヤからなり、ワイヤ表面に軟組織を切削する切刃エッジ１４が形成されていることである。医療用ワイヤメス１０（以下、単にワイヤ１０ともいう）は、例えば、ステンレス製のワイヤから構成され、断面円形で直径０．１〜１ｍｍのワイヤを用いることができ、本実施形態において、直径は０．３ｍｍ、全長Ｌは４００ｍｍで構成されている。上述した切刃エッジ１４は、ワイヤ１０の両端Ｌ１の５０ｍｍを除く中央部分Ｌ２の３００ｍｍに形成されている。
【００２１】
誘導針１２は、例えば、ステンレス製の丸針であり、直径は０．７ｍｍ、長さＬ３は６０ｍｍで構成される。
【００２２】
例えば、フェイスリフトにおいて、誘導針１２が表部の皮膚から内部の軟組織に向かって刺通され、これに続いてワイヤ１０が生体の軟組織内に導かれる。その後、ワイヤ１０を動かして、筋肉、皮下組織、皮膚等の軟組織を切削することができる。
【００２３】
次に、切刃エッジ１４の詳細な構成について説明する。
【００２４】
切刃エッジ１４は、生体の軟組織を切削することができれば良く、軟組織を切削することができる限りその形状は特に限定されない。切刃エッジ１４は、凹部（溝）や凸部を形成することにより、例えば、ワイヤ１０の表面の一部を削りその端部を切刃エッジ１４としたり、ワイヤ１０の表面にエッジを有する突起を接合して切刃エッジ１４を形成することができる。凹部や凸部に形成されるエッジは、好適には鋭いエッジであることが好ましく、この鋭いエッジにより生体の軟組織を切削することができる。望ましくは、切刃エッジ１４は、凹部により形成することが望ましい。凹部形成による切刃エッジ１４は、凸部の切刃エッジ１４に比べて、ワイヤの径が太くならないからである。切刃エッジ１４は、均一な間隔、均一な形状で形成されると好適である。これにより、均一な切削面を得ることができ、軟組織に対する微妙な切削をコントロールすることができる。
【００２５】
切刃エッジ１４の数や間隔は、ワイヤメス１０に要求される切削性や強度を考慮して適宜決定することができる。なお、切刃エッジ１４の数が多いと、各切刃エッジ１４にかかる負荷が小さくなるので、切削性能を持続することができる。また、凹部形成による切刃エッジ１４では、切刃エッジ１４を形成の際にワイヤ１０が切削される。その切削により、ワイヤメス１０の強度が減少するので、所望の強度を得るために、その数や大きさを調整することが望ましい。
【００２６】
切刃エッジ１４は、レーザ照射、エッチング処理、機械加工等により形成することができる。後に、レーザ照射による医療用ワイヤメスの製造方法について詳述する。
【００２７】
図２，３は、切刃エッジの具体例を示す図である。
【００２８】
図２に示す例では、切刃エッジ１６は、ワイヤ１０の表面に連続したスパイラル形状で形成されている。ワイヤ１０の表面に溝１６ａをスパイラル状に形成して溝１６ａの両端部を切刃エッジ１６とすることができる。好ましくは、この切刃エッジ１６の角度は、好ましくは、ワイヤ１０の中心軸に対して６５°〜８５°である。この角度は、アルミニウム、亜鉛、軟質材の薄板の縁、プラスチックの研磨に適した単目のヤスリと同じ角度である。この角度は、削られた切削物が溝１６ａに入り込むが、切削物は次々に溝１６ａに入り込んでくる切削物によって押し出される。従って、このような角度の切刃エッジ１６を有するワイヤ１０は、目詰まりを防止して生体の軟組織を切削することができる。
【００２９】
図３に示す例では、切刃エッジ１８は、ワイヤ１０の中心軸回りに所定角度毎に形成されており、且つ所定角度毎に形成される切刃エッジ１８は、ワイヤ表面の異なる円周上に形成されている。図３（Ａ）〜図３（Ｃ）は、ワイヤ１０の中心軸に対して１２０°づつずらした状態を示す平面図である。図３（Ａ）に示すように、所定間隔で切刃エッジ１８Ａが形成されており、１２０°回転させた図３（Ｂ）には、切刃エッジ１８Ａと異なる円周上に所定間隔で切刃エッジ１８Ｂが形成されている。更に１２０°回転させた図３（Ｃ）には、切刃エッジ１８Ａ及び１８Ｂと異なる円周上に所定間隔で切刃エッジ１８Ｃが形成されている。このように、切刃エッジ１８として、ワイヤ１０の中心軸回りに１２０°毎にワイヤ１０の長さ方向に沿った同一ライン上にそれぞれ切刃エッジ１８Ａ，１８Ｂ，１８Ｃが形成されている。このように、切刃エッジ１８Ａ，１８Ｂ，１８Ｃは、ワイヤ１０の異なる円周上に形成されているので、切刃エッジ１８が形成されるワイヤ１０の径を切刃エッジ１８が形成されない部分に比べて局所的に減少させることがない。従って、切刃エッジ１８の強度低下を防止することができる。このような同一ライン上の切刃エッジ１８Ａの間隔は、ワイヤ１０の直径が０．３ｍｍの場合、０．３ｍｍ〜２ｍｍが望ましい。間隔が広すぎると、切刃エッジ１８にかかる負荷が大きくなり、切削性能が直ぐに低下する可能性があり、間隔が狭いと、ワイヤ全体で見た場合の平均直径が小さくなり、強度が低下する可能性があるからである。
【００３０】
なお、本実施形態においての切刃エッジ１８は、ワイヤ１０の中心軸回りに１２０°毎に形成されているが、例えば、ワイヤ１０の中心軸回りに１８０°、９０°、６０°、４５°・・・毎に形成しても良い。この場合には、切刃エッジ１８毎の間隔や形状等を適宜変えて、所望の切削性を得るようにすることができる。
【００３１】
次に、医療用ワイヤメスの製造方法についてについて説明する。
【００３２】
切刃エッジ１４（１６，１８）を形成するには、レーザ照射により切刃エッジ１４を形成することが好適である。レーザ照射手段としては、いわゆるレーザマーキング装置を使用することができる。レーザマーキング装置の種類としては、炭酸ガスレーザマーキング装置やＹＡＧレーザ装置等があるが、金属への表面処理に適したＹＡＧレーザマーキング装置を使用することが好ましい。レーザ光の種類（波長）は、ワイヤ１０の材質によって選択され、好ましくはレーザの波長は金属マーキングに適した１０６４ｎｍ程度が良い。
【００３３】
レーザ光をワイヤ１０に照射すると、レーザ光はワイヤ１０に吸収される。このワイヤ１０の照射部分は、レーザ光の熱や化学反応によって、分解・蒸発したり、発泡し、ワイヤ１０の表面が削られ、レーザ光の照射部分と非照射部分の境界面にエッジが形成されることになる。この境界面のエッジを切刃エッジ１４とすることができる。
【００３４】
レーザ照射による切刃エッジ１４の形成方法よれば、レーザビーム幅、レーザ強度を容易に且つ高精度に調整することができる。従って、ワイヤ１０の切削幅、切削深さを均一に加工することができ、精度の高いワイヤメス１０を製造することができる。特に、レーザ光の照射により切削され形成される溝をほぼ均一にすることができるので、切削深さのアンバランスによる局所的な強度不足を防止することができる。また、他の機械的加工（例えば切削加工）に比して、加工時に生じるワイヤ１０への機械的な残留歪みを少なくすることができる。また、レーザビーム幅、レーザ強度が高度に調整することができるので、様々なワイヤ線径に対応することができる。
【００３５】
次に、レーザ照射により切刃エッジを形成する製造方法について説明する。図４は、レーザ照射により図３に示した切刃エッジを形成する製造方法を説明する図である。
【００３６】
図４（Ａ）に示すように、まず、ワイヤ１０の中心軸に直交する方向からレーザ照射する。図４において矢印方向から、このレーザ照射をワイヤ１０の長さ方向に向かって所定間隔で行い、同一ライン上に切刃エッジ１８Ａを形成する。次に、図４（Ｂ）に示すように、ワイヤ１０をその中心軸を中心にして１２０°回転させ、ワイヤ１０の中心軸に直交する方向からレーザ照射する。このとき、既に形成された切刃エッジと異なる円周上、すなわち、切刃エッジ１８Ａと異なる円周上にワイヤ１０の長さ方向に沿った所定間隔でレーザを照射し、切刃エッジ１８Ｂを形成する。更にワイヤ１０を１２０°回転させ、図４（Ｃ）に示すように、切刃エッジ１８Ａ及び１８Ｂと異なる円周上に所定間隔で同じようにレーザを照射し、切刃エッジ１８Ｃを形成する。このような方法によれば、レーザ照射により、簡単にワイヤメス１０を製造することができる。
【００３７】
なお、図５に示すように、レーザ照射をワイヤ１０の法線に沿って行い、レーザ光の焦点をワイヤ１０のトップ部分Ａに設定すると好適である。ワイヤ１０のトップ部分Ａではレーザ光の入射角度が直角となり、トップ部分Ａから離れるのに従ってレーザ光の入射角度はトップ部分Ａより浅くなり、レーザ光のエネルギーが低下する。この結果、図５に示すように、Ｂで囲まれた部分の溝の深さ（外周面からの深さ）は、トップ部分Ａで形成される溝の深さより小さくなる。従って、使用時における切刃エッジ１８の局所的な応力集中を防止することができる。
【００３８】
上述した実施形態においては、医療用ワイヤメスの端部にワイヤメス１０を生体組織内に誘導する誘導針が固定されている。この誘導針の代わりとして、例えば直径０．３ｍｍのガイドパイプを皮膚表部から生体組織へ差し込んでおき、医療用ワイヤメスを通過させるルートを確保して、医療用ワイヤメスを生体内に誘導することもできる。
【図面の簡単な説明】
【００３９】
【図１】実施形態の医療用ワイヤメスの構成を示す図である。
【図２】切刃エッジの具体例を示す図である。
【図３】切刃エッジの具体例を示す図である。
【図４】レーザ照射により切刃エッジを形成する製造方法を説明する図である。
【図５】ワイヤへのレーザ照射の例を示す図である。
【図６】フェイスリフトの施術の様子を説明する図である。
【符号の説明】
【００４０】
１０  医療用ワイヤメス（ワイヤ）、１２ 誘導針、１４，１６，１８（１８Ａ，１８Ｂ，１８Ｃ）  切刃エッジ。
【図１】
2006020824.tif 000003
【図２】
2006020824.tif 000004
【図３】
2006020824.tif 000005
【図４】
2006020824.tif 000006
【図５】
2006020824.tif 000007
【図６】
2006020824.tif 000008